Podtech/llm-jp-corpus-v4-ja_patent huggingface dataset:
(57)【要約】【課題】冷水循環式冷却槽における、ブロイラーの冷却不足の解消。【解決手段】冷却水の流速に変化をつけ、継続的にブロイラーの分散を図る。【選択図】図１
2010136714.tif 000002
【特許請求の範囲】
【請求項１】
搬送装置２を備えた冷水循環式冷却槽１の冷却水の流路における流速の制御方法として、水流が搬送装置２の進行方向と並行流となるよう１又は複数の分岐給水管３に対し分岐還水口４を一組とする分岐冷水循環装置を、ブロイラー５の搬出側を基点に、流路の上流に向け順次複数組配置し、冷水循環量の総量を変えず、分散することにより、冷却水の流路において複数の異なった流速を同時に任意の場所で得られることを特徴とする冷却装置。
【発明の詳細な説明】
【発明の詳細な説明】
【技術分野】
【０００１】ブロイラーの冷却に関する技術である。
【背景技術】
【０００２】ブロイラーの冷却では１．５℃から３℃の冷却槽で初温３２℃の屠体を冷却し、その中心温度５℃を境にして品質の良し悪しの基準としている、従来のブロイラー冷却用の冷水循環式冷却槽は、通常冷却時間は３０分前後、搬送装置進行速度は毎分約０．４ｍ、その速度に対する冷却水の流速は冷水循環式冷却槽の処理能力による槽の大きさと、ブロイラーの冷却負荷に対する循環水量の関係上２．５倍から４倍となり、水流は搬送装置の進行方向と対向流となるよう製作されている、そのため搬送装置に押され移行するブロイラーは水圧で搬送装置に強く押し付けられて、ひしめき合うことになる、そのひしめき合う集団の中に埋もれたブロイラーは、冷却水との接触が不足し冷却不足となり、固体によっては中心温度が１０℃以上になり、品質低下の原因になっている、その対策としてポンプの水圧を利用するブロイラーの分散装置が数箇所取り付けられているが分散装置で瞬間的には分散できても、冷却槽の流路の全てをカバーすることは不可能に近く、冷却不足を解消するには程遠いのが現状である。
【発明の開示】
【発明が解決しようとする課題】
【０００３】冷水循環式冷却槽における、ブロイラーの冷却不足の解消。
【課題を解決するための手段】
【０００４】冷却水の流速に変化をつけ、継続的にブロイラーの分散を図る。
【発明の効果】
【０００５】冷却不足が解消し製品の品質が向上するっともに、分散装置に使用するポンプを省略でき、運転経費の削減にも寄与する。
【発明を実施するための最良の形態】
【０００６】冷水循環式冷却槽１において冷却水の流速の制御方法として、搬送装置２の進行方向と並行流となるよう、分岐給水管３と分岐還水口４を１組とする分岐冷水循環装置をブロイラー５の搬出側を基点として、各々に設定した流速に応じ流路の上流に順次設置することにより、ブロイラー５の投入側と分岐還水口４及び各分岐還水口４の間の流速を冷水循環量の総量を増減せず、分散によりそれぞれの間を変化させることが出来ると同時に、それぞれの分岐還水口４に複数の分岐給水管３を一組として取り付けることにより、搬送装置２の進行速度に対し、それぞれの分岐給水管３の間で冷却水の流速を遅く、同等及び早くと変化させることも出来る、このことは搬送装置２の間でブロイラー５を繰り返し前後に移動させることと同じであり、さらにその搬送中は複数の分岐給水管３より噴射する給水圧力で流路の冷却水を攪拌し個々のブロイラー５を分散させ、均等に冷却水に接触させることになり、冷却不足を解消し品質の向上が図れる。
【図面の簡単な説明】
【図１】  「冷水循環式冷却槽の側面及び断面図である」
【符号の説明】
１  冷水循環式冷却槽
２  搬送装置
３  分岐給水管
４  分岐還水口
５  ブロイラー
【図１】
2010136714.tif 000003
(57)【要約】【課題】長尺状の平板からなる本体の中央を底面部とし、折曲部を介して２面の側壁を設けた、植木鉢用移植板を提供する。【解決手段】長尺状の平板からなる本体の中央を底面部とし、底面部の両端に平行した折曲部を設け、その折曲部を介して２面の側壁を設け、側壁は底面部に対して倒立自在とし、底面部に複数の水抜き孔を貫通させ、側壁に複数の貫通孔を設け、底面部と側壁の角部に孔を貫通させた、植木鉢用移植板。【選択図】図１
2010136715.tif 000002
【特許請求の範囲】
【請求項１】
長尺状の平板からなる本体の中央を底面部とし、底面部の両端に平行した折曲部を設け、その折曲部を介して２面の側壁を設け、側壁は底面部に対して倒立自在とし、底面部に複数の水抜き孔を貫通させ、側壁に複数の貫通孔を設け、底面部と側壁の角部に孔を貫通させた、植木鉢用移植板。
【発明の詳細な説明】
【技術分野】
【０００１】  本発明は、長尺状の平板からなる本体の中央を底面部とし、折曲部を介して２面の側壁を設けた、植木鉢用移植板に関するものである。
【背景技術】
【０００２】  従来、植物を植木鉢から移植する際、植物の茎や根元を握り、植木鉢の周囲をたたき、植木鉢の内壁と植物の間に隙間を設け、植物を抜き出していたが、植木鉢いっぱいに張った根が植木鉢の内壁に密着し、容易に抜き出す事が出来なかった。
そのため、植木鉢自体を縦に２分したもの（特許文献１参照）。植木鉢の側壁面の一部を切り欠いて着脱自在にしたもの（特許文献２参照）。植木鉢の底面部を円形状にくり抜いて着脱自在にしたもの（特許文献３参照）などがあった。また、紐を網目状に編んだ根鉢と呼ぶものを植木鉢の内側に入れておき、移植時に根鉢ごと新らしい植木鉢に差し入れるというもの（特許分献４参照）。生分解する素材でつくった容器を植木鉢の内側に入れ、移植時にその容器ごと新らしい植木鉢に差し入れ、時期が経つと容器自体が生分解するというものがあった（特許文献５参照）。
【特許文献１】特開平７−２１３１６１号公報
【特許文献２】特開２００７−１２６号公報
【特許文献３】特開２００６−１５８３７０号公報
【特許文献４】特開平５−２２７８３４号公報
【特許文献５】特開平１１−４２０２１号公報
【発明の開示】
【発明が解決しようとする課題】
【０００３】  そのために、次のような問題点があった。
（イ）植物の根の張り方は想像以上に強く、植木鉢自体を複雑にすることは強度的に問題があり、コストアップの原因ともなっていた。
（ロ）移植は、ただ単に小さな鉢から大きな鉢に植え替えるというものではなく、株分けや根ほぐし等をした後、適宜な大きさの植木鉢に植え替えるため、抜き出したそのままを移植する根鉢や生分解容器では満足行くものではなかった。
（ハ）植物の移植時期は、１年程度で行なうものから２〜３年に１度行なうものと異なるため、この時期と生分解時期を一致させることは非常に困難であった。
いずれも移植作業を満足させるものではなく、本発明は、これらの問題点を解決するためになされたものである。
【課題を解決するための手段】
【０００４】  長尺状の平板からなる本体の中央を底面部とし、底面部の両端に平行した折曲部を設け、その折曲部を介して２面の側壁を設け、側壁は底面部に対して倒立自在とする。
底面部に複数の水抜き孔を貫通させる。
側壁に複数の貫通孔を設ける。
底面部と側壁の角部に孔を貫通させる。
以上を特徴とする、植木鉢用移植板である。
【発明の効果】
【０００５】  植木鉢内に本物品を敷設した後、植物を植栽し、植物の移植時に本物品の側壁を持ち上げ、土に植栽したままの状態で植木鉢より抜き出すことが出来る。
【発明を実施するための最良の形態】
【０００６】  以下、本発明の実施の形態について説明する。
（イ）軟質樹脂で長尺状の平板からなる本体（Ａ）の中央を底面部（１）とし、底面部（１）の両端に平行した折曲部（２）を設け、その折曲部（２）を介して２面の側壁（３）を設け、側壁（３）は底面部（１）に対して倒立自在とする。
（ロ）底面部（１）に複数の水抜き孔（４）を貫通させる。
（ハ）側壁（３）に複数の貫通孔（５）を設ける。
（ニ）底面部（１）と側壁（３）の角部に孔（６）を貫通させる。
（ホ）側壁（３）の上方に持ち手部（７）を設ける。
本案は、以上のような構成で、これを使用するときは、
本体（Ａ）の底面部（１）を植木鉢の内底に載置し、側壁（３）を直立させて植木鉢の胴面の内側に内接させて後、培養土と植物を植木鉢に植える。
この時、側壁（３）に複数の貫通孔（５）を設け、また底面部（１）と側壁（３）の角部に孔（６）を貫通させているため、側壁（３）は矛軟に湾曲しやすい構造であり、植木鉢の胴内面が湾曲している形状に適合して側壁（３）は湾曲しながら内接する。
移植時は、側壁（３）の上方に設けた持ち手部（７）を両手で持つことにより、植物は培養土に植えられた自然の状態で植物を挟持しながら植木鉢より抜き出すことが出来る。その後、側壁（３）を横に広げ平面状に戻すことにより、植物の根は培養土に保護されたまま抜き出すことが出来る。
株分けや根ほぐしをした後、順次、新らしい植木鉢に同様のことを繰り返して移植する。
底面部（１）に複数の水抜き孔（４）を貫通させているので、底面部（１）に水が溜まって根ぐされをおこすこともない。
側壁（３）の上方に持ち手部（７）を設けることに、植物を抜き出す時の力が入り易く、本物品によって植木鉢の内壁と、植物の根、培養土との間に隙間が出来、空気が入るため、容易に植物を抜き出すことが出来る。
本物品は、平板に形成しているため、製造が容易で市場に安価に提供出来ると共に、折曲部（２）を利用することにより折りたたむことが出来、包装もコンパクトとなり、よって売場スペースも最小限ですむ。
また、図４の如く、全長を延長し折曲部（２）を数個所、持ち手部（７）を数個所に増設することにより、例えば８号鉢、９号鉢、１０号鉢と数種類の植木鉢に本物品一種で対応することが出来る。また、切り取り線（８）を設けることにより植木鉢に合わせた長さに切断する時の目安となる。
【図面の簡単な説明】
【０００７】
【図１】本発明の斜視図
【図２】本発明の斜視図
【図３】本発明の実施例を示す断面図
【図４】本発明の他の実施例を示す斜視図
【符号の説明】
【０００８】１  底面部
２  折曲部
３  側壁
４  水抜き孔
５  貫通孔
６  孔
７  持ち手部
８  切り取り線
【図１】
2010136715.tif 000003
【図２】
2010136715.tif 000004
【図３】
2010136715.tif 000005
【図４】
2010136715.tif 000006
(57)【要約】      （修正有）【課題】親バリと孫バリの２本仕掛けで行う泳がせ釣りにおいて、孫バリが生き餌に大きな損傷を与えることなく装着出来る仕組みや方法を提供する。【解決手段】孫バリ２となる釣りバリと細く小型の釣りバリ１を、ハリの本の部分を輪状にくぐり合わせ、自在に動く形で連結した２本組バリを作り、この細い小型の釣りバリ１を生き餌の尻ビレの付け根や背びれに刺す事で、孫バリ２は小型バリ１に吊るされる形となり生き餌への損傷を軽減することが出来る。また、小型バリ１は孫バリ２より細いためイワシなどの小さな尻ビレの堅い付け根等にも刺す事が可能になりより損傷を小さくできる。吊された孫バリ２は生き餌の泳ぎにより生き餌と平行に後方を向くため対象魚に飲み込まれ易い形になる。【選択図】図１
2010136713.tif 000002
【特許請求の範囲】
【請求項１】
２種類の釣りバリを、ハリスを結ぶ部分を輪状にし、互いに輪をくぐり合わせて連結した２本組釣りバリ。
【発明の詳細な説明】
【技術の分野】
【０００１】  本発明は、生き餌を使った泳がせ釣り用の孫バリに関する。
【背景の技術】
【０００２】  生き餌を使った泳がせ釣りの中でポピュラーなのはヒラメ釣りである。餌には生きたイワシやアジなどが使われ、仕掛けは親バリと孫バリの２本仕掛けを使う事が多い。親バリは鼻掛けか上顎に掛けるが、孫バリは腹部か背中に刺して付ける方法が一般的である。
この二つのハリで生き餌に与えるダメージは親バリよりも孫針によるものの方が大きいように感じられる、泳がせ釣りで大事な事は生き餌を如何に長い時間元気で泳がせていられるかというところにあり、それが釣果につながる処でもある。
【発明の開示】
【発明が解決しようとする課題】
【０００３】  孫バリによる生き餌のダメージを如何に軽くするかが課題である。【０００４】  本発明は、この課題を解決するため強い孫バリで生き餌の筋肉や内臓を大きく傷付けることなく装着出来るハリの仕組みの実現を目的とする。
【課題を解決するための手段】
【０００５】本発明は、上記の目的を達成するため孫バリに、より細く、より小さな吊しバリを自在に動く形で連結し、この小さなハリを生き餌の尻ビレ付け根や背ビレなどに刺す事で生き餌のダメージを軽減させるようにした。
【発明の効果】
【０００６】  本発明は、細くて小さな吊しバリによりイワシがあまり痛みを感じない尻ビレの付け根にある堅い小さな部位にも容易に刺すことが出来、生き餌も長い時間元気に泳ぎ回れることにつながってくる。【０００７】  本発明は、吊しバリによる孫バリ仕掛けであるため、生き餌の動きにより常に孫バリは生き餌の尾びれの方に平行に流れる事になり、対象魚が孫バリを飲み込み易いとともに孫バリ全体が出ているのでハリ掛かりもよい。【０００８】  本発明は、孫バリを３本バリに限らず、２本バリ、１本バリにおいても吊り下げ方式で応用が出来、本数の少ない孫バリを組み合わせれば、孫バリの軽量により生き餌に掛かる負担が軽減され、より長い時間元気に泳ぎ回れる事につながる。
【図面の簡単な説明】
【０００９】
【図１】全体図
【図２】吊しバリ装着図
【符号の説明】
【００１０】  １  吊しバリ
２  孫バリ
３  親バリと孫バリを繋ぐハリス
４  イワシの後部腹部
５  尻ビレ
【図１】
2010136713.tif 000003
【図２】
2010136713.tif 000004
(57)【要約】【課題】携帯電話の操作方法を理解するまでの時間の短縮。【解決手段】携帯電話の操作方法を、パーソナルコンピューターに接続することで、インターネットから情報を入手し操作方法を学ぶ。【選択図】図１
2010136311.tif 000002
【特許請求の範囲】
【請求項１】
携帯電話とパーソナルコンピューターをＵＢＳで接続しインターネットを利用した情報交換を行なう方法。
【請求項２】
携帯電話をパーソナルコンピューターに接続し、インターネットを利用し、携帯電話の操作方法を文字と画像によって学ぶ方法。
【請求項３】
「請求項２」のインターネットを利用し学習する方法で、文字と映像だけでなく、音声を使った携帯電話の取扱いの説明方法。
【請求項４】
「請求項２」、「請求項３」の学習方法のほか、「請求項１」のインターネットの特徴である双方向の情報交換機能を使って、携帯電話の模擬操作を評価出来るようにしたもの。
【発明の詳細な説明】
【技術分野】
【０００１】携帯電話の使用方法を、パーソナルコンピューターに接続することで、インターネットから情報を入手し操作を学ぶ方法。
【技術背景】
【０００２】携帯電話は、無線での情報交換を目的としたもので、有線を使った利用方法については、過去みられない。
最近の携帯電話は機能が充実し、大変便利になったが、一方、使用手引書だけでは理解できない人も大勢いているのではないかと思われる。
【発明の開示】
【発明が解決しようとする課題】
【０００３】携帯電話の操作方法を理解するまでの、時間の短縮
【課題を解決するための手段】
【０００４】携帯電話をパーソナルコンピューターに接続しインターネットを利用し、操作方法を学ぶ。
【発明の効果】
【０００５】インターネットを利用することで、必要な時間に、必要な内容を、納得できるまで、解説してもらえる効果がある。
【発明の実施の最良の形態】
【０００６】以下、本発明の実施の形態について説明する。
携帯電話とパーソナルコンピューターをＵＢＳで接続することで自動的にインターネットを経由し、携帯電話内臓のドライバーによってシリアルナンバーを送信しマニュアルサーバーから情報を入手する。
【０００７】使用手引書だけで理解できる人は元々優秀な人である。
テレビの録画が面倒だと感じている人は意外に多く、同じように携帯電話の操作を使用手引書で理解するのを難解と感じる人も多いのである。
携帯電話の操作方法を、大きな画面で、文字と画像をつかってインターネットで解説してもらうことが出来れば大変便利である。
【実施例】
【０００８】請求項２の文字と画像をつかった解説のほか、「請求項３」の音声による解説も有効である。
若い人は、簡単な説明だけで、いつの間にか使いこなせるのだか、文字を読むだけで理解できる人は意外と少ない。
字幕付きの洋画を見るときに、テレビの音声を消して画像と字幕だけで理解するのと、全く逆に、画像を見ずに日本語吹き替えの音声だけで理解するのとでは、どちらが理解できるのか試したとき、音声だけでも、画像に負けないくらい理解できることから、音声による説明効果が高い事がわかる。
この音声効果を情報データーベース化することで、従来の文字と画像による解説よりも、さらに理解力を高める効果が期待できる。【０００９】このシステムがインターネットを利用する利点に、「請求項１」を利用した「請求項４」の双方向のデータのやりとりによって、携帯電話の、模擬操作を評価できることが、狙いの一つにある。
操作者が誤った操作をすれば、もう一度やり直してくださいと、いうように双方向のやりとりが可能になり確実に正しい操作を早く覚えることが出来る。
【産業上の利用可能性】
【００１０】携帯電話の機能の充実はめざましく、まさにパーソナルコンピューターそのものである。一方家庭でのインターネットの普及もめざましい昨今である。
今回のビジネスモデルは有線と無線の別々の媒体を利用し独自の進化発展をしてきた、コンピューターどうしを融合さすきっかけになり、今後の産業の発展に寄与する一つの提案である。
【図面の簡単な説明】
【００１１】
【図１】携帯電話をインターネットに接続したイメージ図である。
【符号の説明】
【００１０】符号１・・・携帯電話
符号２・・・ＵＳＢケーブル
符号３・・・パソコン
符号４・・・インターネットイメージ
符号５・・・データベースセンター
【図１】
2010136311.tif 000003
(57)【要約】【課題】  携帯電話機に挿着し、ディスプレイの映像を拡大することによって、鮮明で確実な映像を見ることができる携帯電話機用拡大レンズを提供する。【解決手段】  携帯電話機用ディスプレイＣの表示面よりやや大形の拡大レンズ１の縦長の両側に、可撓性の材質からなる長尺薄板の上端部にコの字形で横長のレンズ挿着溝３を設け、このレンズ挿着溝３の上面に対し、レンズ挿着部側に所定角度傾斜させたその下端部にコの字形で横長の携帯電話機挿着溝４を設けたことを特徴とする。【選択図】図１
2010136312.tif 000002
【特許請求の範囲】
【請求項１】
可撓性の材質からなる長尺薄板の上端部に、横長でコの字形のレンズ挿着溝を設け、このレンズ挿着溝の上面に対し、レンズ挿着溝側にやや傾斜させた長尺薄板の下端部に横長でコの字形の携帯電話機挿着溝を設けた２個の支持板を携帯電話機のディスプレイの映像面よりやや大形の拡大レンズの縦長の両側部にレンズ挿着溝を介してそれぞれ挿着したことを特徴とする携帯電話機用拡大レンズ。
【発明の詳細な説明】
【技術分野】
【０００１】  本発明は携帯電話機に着脱自在に取り付けられ、ディスプレイの映像を拡大することによって鮮明で確実な映像を見ることができる携帯電話機用拡大レンズに関するものである。
【背景技術】
【０００２】  従来、携帯電話機は片手の掌に載せて使用するように小型に製造されているため、電話機のディスプレイの面積は小さいので、高齢者や目の不自由な人にとっては見づらく、そのため片手に携帯電話機を持ち、他方の手に拡大レンズを持ってディスプレイの映像を見ていたが、携帯電話機と一体にしたものは提供されていない。
【発明の開示】
【発明が解決しようとする課題】
【０００３】  しかし、拡大レンズは映像面との間隔が適切でないと明確な映像を見ることができないため、手で持ったレンズを所定の間隔に長い時間保つことは極めて困難である。
従って高齢者や老齢者は携帯電話機用としての拡大レンズの眼鏡を用意する必要があった。
本発明は、可撓性の材質からなる長尺で薄板の上端部に、横長でコの字形のレンズ挿着溝を設け、このレンズ挿着溝の上面に対し、レンズ挿着溝側にやや傾斜させた長尺薄板の下端部に横長でコの字形の携帯電話機挿着溝を設けた支持板を拡大レンズの縦長の両側板に挿着することによって課題を解決したものである。
【課題を解決するための手段】
【０００４】  上記課題を解決するため本発明は、可撓性の材質からなる長尺薄板の上端部に、横長でコの字形のレンズ挿着溝を設け、このレンズ挿着溝の上面に対し、レンズ挿着溝側にやや傾斜させた長尺薄板の下端部に横長でコの字形の携帯電話機挿着溝を設けた２個の支持板を携帯電話機のディスプレイの映像面よりやや大形の拡大レンズの縦長の両側部にレンズ挿着溝を介してそれぞれ挿着したものである。
【発明の効果】
【０００５】  上記のように構成された本発明の携帯電話機用拡大レンズには次のような効果がある。
（ａ）本発明の携帯電話機用レンズを携帯電話機に取り付けた場合、拡大レンズとディスプレイの映像面の間隔が常に一定に保たれるので、安定した映像を長時間楽しむことができる。
（ｂ）携帯電話機拡大レンズの支持板は、合成樹脂、又は軽量な金属で造ることができるので外出する際、携帯電話機から取りはずし、拡大レンズから支持板を取りはずせば、コンパクトな状態で洋服のポケットに収納できる。
（ｃ）支持板は、合成樹脂等の可撓性の材料を使用することによって容易に大量に製造できるので、安価に大量に提供できる。
【発明を実施するための最良の形態】
【０００６】  以下、本発明の実施の形態を図面に基いて説明する。図１は本発明の斜視図、図２は本発明の正面図、図３は支持板の斜視図、図４は本発明の使用状態を示した斜視図で、図中の符号Ａは携帯電話機用拡大レンズ、Ｂは携帯電話機、Ｃはディスプレイを示す。
１はフレネルレンズと称されている拡大レンズで、透明な合成樹脂板からなる軽量なレンズであり、ガラス製のレンズのように容易に割れるものではなく、広く利用されているもので、携帯電話機Ｂの映像面と同形の長方形であって、映像面よりやや大形のレンズである。
２は、拡大レンズが携帯電話機Ｂから適切な間隔で映像面と平行に保つための支持板で、硬質合成樹脂等可撓性の材質からなる所定長さの長尺板で、図面に示したように、上部に横長でコの字形のレンズ挿着溝３が設けられてあり、下部には携帯電話機Ｂに挿着するための携帯電話機挿着溝４が横長でコの字形に設けられている。
レンズ挿着溝３は拡大レンズの厚さに応じた溝幅で、拡大レンズが確実に挟持されるように設けられてあり、携帯電話機挿着溝４は携帯電話機Ｂの映像面の縁が確実に挿着されるばかりでなく、固定されるように設けられている。
又、支持板２は各図面に示したように、レンズ挿着溝３の水平面に対し、溝側に傾斜状に形成されていて、図２に示したようにレンズの両側に挿着した際、下部に設けられた携帯電話機挿着溝４、４ａがレンズ挿着溝３、３ａより内側になるようになっている。
従って、携帯電話機Ｂに取り付ける際、下方の携帯電話機挿着溝４、４ａを外側方向へ開いた状態にして携帯電話機Ｂの映像面の縁に挿着するので、支持板２の可撓性により、携帯電話機用レンズ１は確実に固定される。
【図面の簡単な説明】
【０００７】
【図１】本発明の斜視図
【図２】本発明の正面図
【図３】本発明の支持板の斜視図
【図４】本発明の使用状態を示した図
【符号の説明】
１    拡大レンズ
２    支持板
２ａ  支持板
３    レンズ挿着溝
３ａ  レンズ挿着溝
４    携帯電話機挿着溝
４ａ  携帯電話機挿着溝
Ａ    携帯電話機用拡大レンズ
Ｂ    携帯電話機
Ｃ    ディスプレイ
【図１】
2010136312.tif 000003
【図２】
2010136312.tif 000004
【図３】
2010136312.tif 000005
【図４】
2010136312.tif 000006
(57)【要約】【課題】従来の唇をパックするための機能との形状は、唇パック液剤のしみ込んだ不織布を唇にあてるか直接塗布するかで、唇に浸透するのをじっと待つだけの物であり、液剤の蒸発もあるうえ、振動、摩擦、圧迫またはマッサージ的な効果は全く無かった。【解決手段】手などを使わなくともマウスピース部を咥えるか噛むことで液剤のついた唇に当たっている部分が振動、摩擦、圧迫、マッサージの効果を唇に与え、さらに液剤の蒸発を抑え保湿効果を高めることができるため、唇の血行も良くなり、より液剤の浸透を高める効果を提供する事が出来る唇パック用液剤の浸透圧迫器である。また、唇に直接あたる部分を固形の唇形状にすることより、そのまま液剤をつけても、または、唇パックの液剤をしみ込ませた不織布などをつけて使用する場合でも、液剤の無駄な蒸発を防ぐことを特徴とする唇パック用液剤の浸透圧迫器である。【選択図】図１
2010136931.tif 000002
【特許請求の範囲】
【請求項１】
唇パックのゲル剤及び液剤（以下液剤という）を、塗布や唇パックのみを行うよりも効果的に浸透させるための、唇パック用液剤の浸透圧迫器。
【請求項２】
液剤部を唇に浸透させるために、液剤の蒸発を抑えパック効果、保湿効果を高めた上、手などを使わずマウスピース部を咥えるか噛むことによりまんべんなく唇に密着させ、さらに唇を前後に動かす、または何度も噛むことで振動、摩擦、圧迫させ唇に対して液剤を浸透させるべく効果的なマッサージ効果を得る事が出来る。そのための、口内外部品の形状と素材を特徴とする請求項１記載の唇パック用液剤の浸透圧迫器。
【発明の詳細な説明】
【技術分野】
【０００１】
この発明は、唇パック用液剤の浸透圧迫器の機能性と形状に関する。
【背景技術】
【０００２】
従来の唇をパックするための機能との形状は、図２に示すように不織布の唇パックまたは、図３に示すように唇シートというものがある。
【特許文献１】特許公開2005−120043口唇パック
【特許文献２】特許公開平11−130623 シート状パック
【発明の開示】
【発明が解決しようとする課題】
【０００３】
しかしながら、以上の技術によれば、液剤のしみ込んだ不織布を唇にあてるか直接塗布するかで、唇に浸透するのをじっと待つだけの物であり、液剤の蒸発も早く、振動、摩擦、圧迫またはマッサージ的な効果は全く無い。
そこで、この発明は、液剤の蒸発を抑え手を使わなくとも振動、摩擦、圧迫、マッサージの効果を唇に与えることで、より液剤の浸透を高める効果を提供することを課題とする。
【課題を解決するための手段】
【０００４】
以上の課題を解決するために、第一発明は、唇全体をカバーし、手などを使わなくともマウスピース部を噛むことで液剤のついた唇に当たっている部分が振動、摩擦、圧迫、マッサージの効果を唇に与えることができるため、唇の血行も良くなり、より液剤の浸透を高める効果を提供する事が出来る唇パック用液剤の浸透圧迫器である。
また、第二発明は、唇に直接あたる部分を固形の唇形状にすることより、そのまま液剤をつけても、または、唇パックの液剤をしみ込ませた不織布などをつけて使用する場合でも、液剤の無駄な蒸発を防ぐことを特徴とする唇パック用液剤の浸透圧迫器である。
【発明の効果】
【０００５】
第一発明、または第二発明によれば、唇全体をカバーすることで液剤の無駄な蒸発を無くし保湿効果を高め、手を使わなくとも唇パック用液剤を、より浸透を高める効果を提供し、唇に多くの潤いとマッサージ効果を与えることができる。
【発明を実施するための最良の形態】
【０００６】
この発明の一実施形態を、図１に示す。
唇パック用液剤の浸透圧迫器の本体１は樹脂製であり、この本体１は口の中で歯で咥える部分となるマウスピース部分と唇全体を覆う部分とで成る。
【０００７】
「実施形態の効果」
この実施形態によれば、唇パック用液剤を唇が当たる部分に塗布、または唇パックを付けたのち、マウスピース部をくわえることで唇全体をカバーし圧迫するようになっている。したがって、手を放していても保湿効果と圧迫効果が持続する。
【０００８】
「他の実施形態」
図１の実施形態では、素材は樹脂製であったが、他の実施形態では、弾力のある樹脂や、ゴムにすることにより、マウスピース部を噛むことの行為で、さらに圧迫し、摩擦、振動、マッサージの効果があり液剤の浸透を促進させる。
また、図４のようにマウスピースを噛むことにより、唇に密着している部分をばねのように動かす仕組みや、装置も同様である。
また、図１−３  唇パック用液剤塗布または、唇パック取り付け部の唇が当たる部分に、凹凸や突起、溝などをつけることにより、液剤も多くとどまり、マッサージ効果を高め、唇の血行も良くし、さらに、不織布パックの場合はパック中のずれの防止にもなる
【産業上の利用可能性】
【０００９】
唇にかかわる、口腔外科などの医療業界や歯科業界などの唇にかかわる治療を行うに当たっての薬剤の蒸発を抑え浸透率を高める用途などにも適用できる。
【図面の簡単な説明】
【００１０】
【図１】この発明の一実施形態を示す斜視図と断面図である。
【図２】従来技術を示す斜視図である。
【図３】従来技術を示す斜視図である。
【図４】この発明の一実施形態を示す斜視図と断面図である。
【符号の説明】
【００１１】
１  唇パック用液剤の浸透圧迫器本体            ２  マウスピース部
３  唇パック用液剤塗布または、唇パック取り付け部
【図１】
2010136931.tif 000003
【図２】
2010136931.tif 000004
【図３】
2010136931.tif 000005
【図４】
2010136931.tif 000006
(57)【要約】【課題】少なくとも前面に開口部を備えた箱体本体と、この箱体本体の開口部を被覆する扉体と箱体本体内部に固定される機器取付板とからなる住宅用分電盤において、人体への感電等の恐れを少なくすることが可能であると共に放熱性を高めた住宅用分電盤の充電部カバーを提供することにある。【解決手段】少なくとも前面に開口部を備えた箱体本体とこの箱体本体の開口部を被覆すると共に開閉可能な扉体を設けた蓋体と箱体本体の内部に固定される機器取付板とからなる分電盤の、機器取付板に取り付けられる主幹回路遮断器と分岐回路遮断器とを接続する導体を被覆する充電部カバーにおいて、充電部カバーに放熱手段を設けた。【選択図】図２
2010016914.tif 000002
【特許請求の範囲】
【請求項１】
少なくとも前面に開口部を備えた箱体本体と該箱体本体の前記開口部を被覆すると共に開閉可能な扉体を設けた蓋体と前記箱体本体の内部に固定される機器取付板とからなる分電盤の、前記機器取付板に取り付けられる主幹回路遮断器と分岐回路遮断器とを接続する導体を被覆する充電部カバーにおいて、該充電部カバーに放熱手段を設けたことを特徴とする住宅用分電盤。
【発明の詳細な説明】
【技術分野】
【０００１】
本発明は、住宅用分電盤の充電部カバーに関するものである。
【背景技術】
【０００２】
従来、住宅用分電盤の充電部カバー２４には特許文献１に示すような、主幹回路遮断器の負荷側端子部と各給電バーとを接続する３本の導体２８のうち、１本又は２本の導体２８の導体２８本体を幅方向を分電箱体の底板に対して水平状として、他の２本又は１本の導体２８の導体２８本体を幅方向を箱体本体の底板に対して垂直状として形成して、水平状の１本又は２本の導体２８の下方に垂直状の他の導体２８を配置して、１本又は２本の導体２８の水平状の導体２８本体を充電部カバー２４の上部に形成した水平溝部に嵌合し、導体２８の端子板部を主幹回路遮断器の負荷側端子部に接続するとともに接続端子板部を給電バーにネジ止めしたものであるので、導体２８が水平溝部の下方壁面部を抑えることとなり充電部カバー２４が上方より離脱する虞の全くない住宅用分電盤がある。
【特許文献１】特許第３２８４１５７
【発明の開示】
【発明が解決しようとする課題】
【０００３】
しかしながら、特許文献１に記載の発明では主幹開閉器と分岐開閉器を接続する導体を覆うと共に胴体を収納する充電部カバーによって被覆されるため、温度上昇の原因となるという欠点があった。又、温度上昇により、材質によっては充電部カバーが変形する恐れがあるという欠点があった。
【０００４】
又、人体への感電等の恐れを少なくするために充電部カバーを設けているが、規格により住宅用分電盤内部の温度を一定以下に保つ必要があるため、導体の全面を被覆していない場合があるという欠点があった。
【０００５】
このため、本発明によって解決しようとする課題は、少なくとも前面に開口部を備えた箱体本体と、この箱体本体の開口部を被覆する扉体と箱体本体内部に固定される機器取付板とからなる住宅用分電盤において、人体への感電等の恐れを少なくすることが可能であると共に放熱性を高めた住宅用分電盤の充電部カバーを提供することにある。
【課題を解決するための手段】
【０００６】
上記した課題を解決するためになされた本発明の住宅用分電盤の充電部カバーは、少なくとも前面に開口部を備えた箱体本体とこの箱体本体の開口部を被覆すると共に開閉可能な扉体を設けた蓋体と箱体本体の内部に固定される機器取付板とからなる分電盤の、機器取付板に取り付けられる主幹回路遮断器と分岐回路遮断器とを接続する導体を被覆する充電部カバーにおいて、充電部カバーに放熱手段を設けた。
【発明の効果】
【０００７】
本発明の分電盤入出線固定構造によれば、少なくとも前面に開口部を備えた箱体本体と、箱体本体の開口部を被覆する扉体と箱体本体内部に固定される機器取付板とからなる分電盤において、充電部カバーに放熱手段を設けることによって充電部カバーによって被覆される導体部分の温度上昇を抑えることが可能である。又、温度上昇による充電部カバーの変形等を防ぐことが可能である。
【０００８】
又、充電部カバーによって導体のほぼ全面を被覆するため、人体への感電等を防ぐことが可能である。
【発明を実施するための最良の形態】
【０００９】
本発明では、安全性と放熱性を確保した住宅用分電盤の充電部カバーを少ない部品数で可能にした。
【実施例１】
【００１０】
以下、本発明の実施の形態を説明する。
少なくとも前面に開口部２を備えた箱体本体１、１１と箱体本体１、１１の開口部２を被覆する扉体と箱体本体１、１１内部に固定される機器取付板３、１３とからなる分電盤の、機器取付板３、１３に取り付けられる主幹回路遮断器６、１６と分岐回路遮断器７、１７とを接続する導体を被覆する充電部カバー４、１４において、充電部カバー４、１４に放熱手段１５を設けた。充電部カバー４、１４は略Ｌ字状に形成され、底面と側面と上面にはスリットによる放熱手段１５を設けた。これにより、充電部カバー４、１４の放熱性を高めることが可能である。又、導体のほぼ全面を被覆するため、作業者が誤って通電状態のまま導体に触れてしまう等して、感電する恐れを防ぐことが可能である。
【００１１】
以上のように、本発明の住宅用分電盤の充電部カバーは導体を被覆する充電部カバーに放熱手段を設け、安全性と放熱性を確保した住宅用分電盤の充電部カバーを少ない部品数で提供できるものである。
【図面の簡単な説明】
【００１２】
【図１】本発明の実施例１における、住宅用分電盤の正面図である。
【図２】図１のＡを拡大した、底面斜視図である。
【図３】従来技術における、充電部カバーを用いた導体の斜視図である。
【符号の説明】
【００１３】
１、１１    箱体本体
２    開口部
３、１３    機器取付板
４、１４、２４    充電部カバー
１５    放熱手段
６、１６    主幹回路遮断器
７、１７    分岐回路遮断器
２８    導体
【図１】
2010016914.tif 000003
【図２】
2010016914.tif 000004
【図３】
2010016914.tif 000005
(57)【要約】【課題】  圧電素子を用いて靴底の照明ＬＥＤを点灯させる装置において、圧電発電装置が小型でありながら、小さい応力で、多数個のＬＥＤを高輝度で発光させ、しかも耐久性にすぐれたＬＥＤ表示ユニットを提供すること。【解決の手段】  図１および図２の圧電発電装置を用いることにより、小さな荷重でも圧電素子には大きな応力がかかり、薄型で違和感がなく、高電圧と大きな電荷量を発生させて多数個のＬＥＤを高輝度で発光させるようにした靴底ＬＥＤ表示ユニット。【選択図】図３
2010016321.tif 000002
【特許請求の範囲】
【請求項１】
３点曲げ構造、またはてこの原理を用いた圧電発電装置を靴底に設置し、ＬＥＤに直結したＬＥＤ表示ユニット。
【請求項２】
請求項１において圧電素子で発電された電力を、全波整流素子を経由してＬＥＤを点灯させる表示ユニット。
【請求項３】
請求項２で発電した電力を切り替えスイッチを用いてコンデンサまたは二次電池に充電させる充電ユニット。
【発明の詳細な説明】
【技術分野】
【０００１】  本発明は圧電素子を用いて発電し、靴底に設けたＬＥＤを発光させる表示ユニットに関するものである。
【背景技術】
【０００２】  従来、表示灯としては発光ダイオード（ＬＥＤ）が用いられている。ＬＥＤを発光させるための電源として近年圧電発電装置が利用されている。その一例として例えば特願平１１−８８７４８で提案されている。これまでＬＥＤの輝度を向上させるために、圧電素子に剛体を衝突させて大きな電圧を発生させる方式がとられていた。【０００３】  しかしながら、発生電圧が高くても電荷量はそれほど大きくないために、ＬＥＤはせいぜい２個程度しか発光できず、視認性は十分とはいえなかった。
【発明の開示】
【発明が解決しようとする課題】
【０００４】  従来考えられていた応用、例えばスニーカー等の靴底照明には、視認性の確保のために、多数個のＬＥＤを取り付ける試みがなされてきた。そのためには圧電素子の発電量を上げるために如何にして大きな衝撃力を与えるかの工夫がなされてきた。そのために衝撃物の移動を容易にするための通路等を設ける必要が生じ、圧電発電装置は大型になり、履いた場合には違和感が生じざるを得なかった。また大きな衝撃力を与え続けるために、破損等信頼性の確保にも配慮しなければならなかった。【０００５】  圧電発電装置において、小さな衝撃力ないしは応力で大きな発電量を得ようとすれば、圧電素子は出来るだけ厚みを薄くかつ大きな電極面積にすることが求められる。しかし靴底に利用する場合大きな面積や体積を有するものは使用上障害となることが多い。また単に発電量が大きいだけでは多数個シリーズに接続したＬＥＤを点灯させるには不十分であり、高電圧を得るためには圧電素子の厚さを必要とする。
【課題を解決するための手段】
【０００６】  本発明は、このような課題を解決するために、従来の考え方に反して小面積で０．２ｍｍ以上の圧電素子を用いながら発生電荷量を上げ、高い発生電圧を得る構造を検討した。ただし加える力を出来るだけ軽減するために、てこの原理ないしは３点曲げ構造を有する圧電発電装置を導入した。この結果、強い衝撃力は必要とせず、小型薄型でありながら、ＬＥＤを多数個シリーズに接続しても十分輝度が得られる靴底ＬＥＤ表示ユニットが提供できる。
【発明の効果】
【０００７】  本発明では、基板に貼り付けられた圧電素子に曲げ応力を与え、圧縮応力または引っ張り応力を発生させている。この応力に比例して発生電圧が高くなり、また発生電荷量も比例して大きくなる。この結果従来の課題であったＬＥＤを多数個シリーズに接続して十分な輝度を得る課題を一気に解決させたものである。また強い衝撃力を与える必要もなく衝撃による破損も克服することが出来た。【０００８】  本装置は圧電発電装置で発生した電気エネルギーを直接靴底照明に使用することが主目的であるが、コンデンサや二次電池に充電しておくことも可能である。
【発明を実施するための最良の形態】
【０００９】  以下、本発明の実施の形態について図面に基づいて説明する。【００１０】  図１は本発明に用いた圧電発電装置の内、てこの原理をもちいたものであり、図２は３点曲げ構造のものである。図３は本発明請求項１のユニット外形図である。図３の図中で１は圧電素子、２は弾性板、３は支点、４はＬＥＤである。【００１１】  図４は本発明請求項２のユニット回路図である。図中５は整流素子、６は請求項３のコンデンサまたは二次電池、７は請求項３充電切り替えスイッチである。【００１２】  図５は靴底ＬＥＤ表示ユニットを取り付けたスニーカーの概観図である。【００１３】  以上述べた如く本発明によれば、圧電素子に大きな衝撃を与えることなく、多数個のＬＥＤを高輝度で点灯させ、しかも破損事故等もなく耐久性のある靴底表示ユニットを提供することが可能になった。
【図面の簡単な説明】
【００１４】
【図１】  本発明に用いたてこの原理を用いた圧電発電装置の一例
【図２】  本発明に用いた３点曲げ構造の圧電発電装置の一例
【図３】  本発明の靴底表示ユニットを示す外形図
【図４】  本発明のユニット回路図
【図５】  本発明の靴底表示ユニットを実装したスニーカー
【符号の説明】
【００１５】１  圧電素子
２  弾性板
３  支点
４  ＬＥＤ
５  整流素子
６  コンデンサまたは二次電池
７  充電切替えスイッチ
８  中敷き
９  表示ユニット
【図１】
2010016321.tif 000003
【図２】
2010016321.tif 000004
【図３】
2010016321.tif 000005
【図４】
2010016321.tif 000006
【図５】
2010016321.tif 000007
(57)【要約】【課題】これまでの四角い紙を印刷するのと同じ印刷方法では、ディスク専用のプリンターを作るのに大きな装置を作らなければならなかった。【解決手段】ディスクを回転させながら盤面印刷する事で、ディスクに写真画像などの全面盤面印刷が出来るプリンターが小さく作れるようになった。【選択図】図１
2010061778.tif 000002
【特許請求の範囲】
【請求項１】
例えばＣＤ−ＲやＤＶＤ−Ｒのような記録ディスクにディスクを回転させながら、プリンターヘッドをディスクの中心からディスクの外側へ移動させながら、カラー印刷する事を特徴とするディスク専用プリンター。
これにより省スペースで記録ディスクに全面印刷する事を特徴とするディスク専用プリンターである。
【発明の詳細な説明】
【技術分野】
【０００１】  この発明は、例えばＣＤ−Ｒなどのディスクに全面盤面印刷を省スペースでする事が出来るディスク専用プリンターに関するものである。
【背景技術】
【０００２】従来、ＣＤ−Ｒなどのディスクに全面盤面印刷する際、ディスクを直線移動させながら、印刷してた為、プリンターを小さく作ることが出来なかった。
【発明の開示】
【発明が解決しようとする課題】
【０００３】  しかしながら、以上の技術によれば、ディスクを回転させながら印刷するため、省スペースで全面盤面印刷可能なディスク専用のプリンターを作ることが出来る。
【課題を解決するための手段】
【０００４】  以上の課題を解決するために、ＣＤ−Ｒなどのディスクを全面盤面印刷することを特徴とするディスク専用プリンターである。
【発明の効果】
【０００５】  ディスクを回転させながら印刷することで、プリンターを小さくする事が出来る。全面盤面印刷が小さなプリンターで出来る。
【発明を実施するための最良の形態】
【０００６】  この発明の一実施形態を、図１に示す。
ディスクを正確な速さで回転させるコンピューター制御出来るモーターとディスクの中心から外側に移動するプリンターヘッドがある。【０００７】「実施形態の効果」
この実施形態によれば、ＣＤ−Ｒなどの記録ディスクに直接、全面盤面印刷をする事が出来るプリンターを省スペースで実現できる。
【図面の簡単な説明】
【０００８】
【０００９】
【図１】この発明の一実施形態を示す斜視図である。
【符号の説明】
【００１０】１  記録ディスク（回転する）  ２  プリンターヘッド（直線うんどう）
【図１】
2010061778.tif 000003
(57)【要約】【課題】  従来のホームページの閲覧方法では、閲覧しているページに目的のページへのリンクが用意されていない場合は閲覧するためにリンクのあるページを経由するかブラウザに直接アドレスを入力する必要があった。また、ホームページの閲覧者から電話で問い合わせを受けるような場合、閲覧者が現在どのページを閲覧しているかは、口頭でＵＲＬを確認するか、ページのタイトルや内容を確認しページを特定する必要があった。【解決手段】  ホームページのページ番号とＵＲＬを管理するデータベースをサーバー上に用意し、ホームページの各ページにページ番号を入力する場所を用意する。閲覧者が目的のページ番号を入力した後ページ移動のアクションを起こせば、プログラムがサーバーに用意したデータベースに接続しページ番号からＵＲＬに換えて目的のページを表示するというものである。【選択図】図１
2010061626.tif 000002
【特許請求の範囲】
【請求項１】
インターネット端末におけるホームページの閲覧表示方法であって、閲覧表示の対象となるページのＵＲＬとページ番号を記録したデータベースやファイルをインターネットブラウザからアクセス可能な状態で用意することで、ホームページ内に用意されたページ番号の入力場所に閲覧したいページ番号を入力して希望のページにアクセスする方法。
【請求項２】
インターネット端末におけるホームページの閲覧表示方法であって、ホームページのＵＲＬとページ番号をＨＴＭＬファイル等に直接記載し、または、ホームページを表示するためのプログラムに記載することでホームページ内に用意されたページ番号の入力場所に閲覧したいページ番号を入力して希望のページにアクセスする方法。
【発明の詳細な説明】
【技術分野】
【０００１】  本発明は、ホームページの閲覧表示方法に関する。
【背景技術】
【０００２】  従来のホームページの閲覧方法は、ウェブブラウザにページのＵＲＬを直接入力するか、表示しているホームページに用意されたページへのリンクによって閲覧したいページに移動するというものである。
【発明の開示】
【発明が解決しようとする課題】
【０００３】  従来のホームページの閲覧方法では、閲覧しているページに目的のページへのリンクが用意されていない場合は閲覧するためにリンクのあるページを経由するかウェブブラウザに直接ＵＲＬを入力する必要があった。【０００４】  また、ホームページの閲覧者から電話で問い合わせを受けるような場合、閲覧者が現在どのページを閲覧しているかは、口頭でＵＲＬを確認するか、ページのタイトルや内容を確認しページを特定する必要があった。【０００５】    本発明は、このような従来のホームページの閲覧における問題を解決しようとするものであり、ページ番号を利用することでホームページの閲覧をより便利で効率的なものにすることを目的とするものである。
【課題を解決するための手段】
【０００６】  そして、本発明は上記目的を達成するために、予めホームページのページ番号とＵＲＬを管理するデータベースをサーバー上に用意し、ホームページの各ページにページ番号を入力する場所を用意する。閲覧者が目的のページ番号を入力した後ページ移動のアクションを起こせば、プログラムがサーバーに用意したデータベースに接続しページ番号からＵＲＬに換えて目的のページを表示するというものである。【０００７】  動的に表示しているホームページであればページを表示する段階でデータベースからページ番号を取得して表示することができ、静的なページの場合でもページ番号の確認のアクションにより現在のページを表示することができる。【０００８】  データベースは、ＣＳＶ形式等のファイルでも可能である。【０００９】  ページ番号を入力する場所は、ブラウザの拡張機能として追加することで実現することも可能である。
【発明の効果】
【００１０】  上述したように本発明のページ番号を利用した方法は、目的のページに直接アクセスすることができる様になるとともに現在表示しているページを容易に特定することができるようになる。【００１１】  また、特に携帯端末で階層の深いページにアクセスする場合でも途中のページを経由する必要がなく直接目的のページを表示することができるため閲覧が容易になるとともに通信費削減にもつながる。
【発明を実施するための最良の形態】
【００１２】  この発明の実現の形態を図１〜図３に基づいて説明する。【００１３】  図１は、データベースやファイルを利用してページ番号とＵＲＬを照合する場合の構成で、ウェブブラウザ１からウェブサーバー２にページ番号をリクエストするとウェブアプリケーション３がデータベース４に接続しページ番号に該当するＵＲＬをウェブアプリケーション３に返す。ウェブアプリケーション３はウェブサーバー２に処理結果を送りウェブブラウザ１に目的のホームページが表示される。【００１４】    図２は、ウェブアプリケーション３にページ番号とＵＲＬの組み合わせを直接記載する構成で、ウェブブラウザ１からウェブサーバー２にページ番号をリクエストするとウェブアプリケーション３がウェブサーバー２に処理結果を送りウェブブラウザ１に目的のホームページが表示される。【００１５】  図３は、ＨＴＭＬファイル５にページ番号とＵＲＬの組み合わせを直接記載する構成で、ウェブブラウザ１からウェブサーバー２にページ番号に該当するＵＲＬをリクエストしウェブサーバー２がウェブブラウザ１に目的のホームページを表示する。
【図面の簡単な説明】
【００１６】
【図１】本発明の実施形態として最も一般的な構成図
【図２】データベースを使用しない場合の構成図
【図３】最も簡易的に実現する場合の構成図
【符号の説明】
【００１７】１  ウェブブラウザ
２  ウェブサーバー
３  ウェブアプリケーションサーバー
４  データベース、ファイル
５  ＨＴＭＬファイル
【図１】
2010061626.tif 000003
【図２】
2010061626.tif 000004
【図３】
2010061626.tif 000005
(57)【要約】【課題】電算機で借入金の発生金利を最小とする調達スケジュールをリニア−プログラミングモデルにより算定するとき、借り入れ種別、借り入期間、ベースレート、スプレッド、利払い期間、利払い日の休日取扱、利息計算上の想定年間日数、などの詳細な情報を入力することは操作者にとって負担になり、現実的なモデル計算を必要に応じて行うことが困難であった。【解決手段】電算機で借入金の発生金利を最小とする調達スケジュールをリニア−プログラミングモデルにより算定するとき、データ供給機能を果たす事務処理システムに登録されているところの、借り入れ種別、借り入れ期間、ベースレート、スプレッド、利払い期間、利払い日の休日取扱、利息計算上の想定年間日数、などの詳細な情報をテーブルに引用・収録して画面上にそれらのうちのいくつかを表示して画面上で操作者が選べるようにして、操作者が簡易に現実的な変数と付帯条件を電算機に与えられるようにする。【特許請求の範囲】
【請求項１】
電算機で借入金の発生金利を最小とする調達スケジュールをリニア−プログラミングモデルにより算定するとき、データ供給機能を果たす事務処理システムに登録されているところの、借り入れ種別、借り入れ期間、ベースレート、スプレッド、利払い期間、利払い日の休日取扱、利息計算上の想定年間日数、などの詳細な情報をテーブルに引用・収録して画面上にそれらのうちのいくつかを表示し、操作者が簡易に現実的な変数を電算機に与えられるようにする装置。
【発明の詳細な説明】
【技術分野】
【０００１】本発明はリニア−プログラミングモデルで一定期間の資金調達に伴う発生金利を最小にする計算を行うとき、ＬＰ計算そのものや、計算後にシミュレーションシステムでキャッシュフローに展開したりするときに必要なパラメーターをいちいち指定することの手数を軽減させるためのものである。
【背景技術】
【０００２】従来はＬＰモデルで一定期間の発生金利を最小にし、かつ計算後のシミュレーション展開に必要な条件パラメーターは手動で設定・入力する必要があり、現実に即した設定を素早くすることが困難であった。
【発明の開示】
【発明が解決しようとする課題】
【０００３】電算機で借入金の発生金利を最小とする調達スケジュールをリニア−プログラミングモデルにより算定するとき、借り入れ種別、借り入期間、ベースレート、スプレッド、利払い期間、利払い日の休日取扱、利息計算上の想定年間日数、などの詳細な情報を入力することは操作者にとって負担になり、現実的なモデル計算を必要に応じて行うことが困難であった。
【課題を解決するための手段】
【０００４】電算機で借入金の発生金利を最小とする調達スケジュールをリニア−プログラミングモデルにより算定するとき、データ供給機能を果たす事務処理システムに登録されているところの、借り入れ種別、借り入れ期間、ベースレート、スプレッド、利払い期間、利払い日の休日取扱、利息計算上の想定年間日数、などの詳細な情報をテーブルに引用・収録して画面上にそれらのうちのいくつかを表示して画面上で操作者が選べるようにして、操作者が簡易に現実的な変数と付帯条件を電算機に与えられるようにする。
【発明の効果】
【０００５】従来困難であった現実に即した、詳細な借り入れ金の条件などが簡便に入力できすこととなり、タイムリーで現実に即したＬＰモデルの稼働が可能になり、計算結果をシミュレーションシステムで使用して、現実的なキャッシュフローに展開して、ＬＰモデル結果から平均金利表、残高一覧表、発生利息一覧表などの現実的な資料作成が簡便・タイムリーに可能になる。
【実施例１】
【０００６】
【図面の簡単な説明】
【０００７】図面は、本発明で使用する画面を例示する。
2010061632.tif 000002